【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
複数の断層像に含まれる管腔臓器の内部に、複数の視点を設定する視点設定手段と、
この視点設定手段によって設定された複数の視点を通る任意の方向の切断面を設定する切断面設定手段と、
この切断面設定手段によって設定された切断面により切断して前記管腔臓器の前記視点方向に延びる縦切り画像を構成する縦切り画像構成手段と、
この縦切り画像構成手段によって構成された縦切り画像を所望の方向に２次元的に展開して展開画像を生成する展開画像生成手段と、
この展開画像生成手段によって生成された展開画像を表示する画像表示手段と、
を備えたことを特徴とする画像表示装置。
【請求項２】
請求項１に記載の画像表示装置において、前記展開画像生成手段は、前記切断面設定手段によって設定された切断面に直交する方向に前記展開された展開画像が生成されることを含む、ことを特徴とする画像表示装置。
【請求項３】
請求項１に記載の画像表示装置において、前記展開画像生成手段は、前記複数の断層像の積み上げ方向と所定の角度を成す方向に前記展開された展開画像が生成されることを含む、ことを特徴とする画像表示装置。
【請求項４】
請求項１に記載の画像表示装置において、前記展開画像生成手段は、前記切断面設定手段によって設定される切断面を互いに直交するように設け、それぞれ直交する切断面について前記縦切り画像構成手段によってそれぞれ縦切り画像が構成され、それぞれ構成された縦切り画像を展開してそれぞれ展開画像が生成されることを含む、ことを特徴とする画像表示装置。
【請求項５】
請求項１に記載の画像表示装置において、前記展開画像生成手段は、前記視点設定手段によって設定された視点を通る軌跡が仮想の点光源とされ、その仮想の点光源によって前記展開画像が陰影づけ処理されることを含む、ことを特徴とする画像表示装置。
【請求項６】
請求項１に記載の画像表示装置において、前記画像表示手段は、前記切断面設定手段によって異なる複数の方向の切断面が設定され、前記縦切り画像構成手段によって複数の方向の切断面に応じて前記管腔臓器の縦切り画像が順次構成され、前記展開画像生成手段によって前記順次構成された縦切り画像を展開して展開画像が順次生成され、それら順次生成された展開画像が順次表示されることを含む、ことを特徴とする画像表示装置。
【請求項７】
請求項１に記載の画像表示装置において、前記画像表示手段は、前記切断面設定手段によって第１の方向の切断面が設定され、前記縦切り画像構成手段によって前記第１の切断面に応じた第１の縦切り画像が構成され、前記展開画像生成手段によって前記第１の縦切り画像を展開して第１の展開画像が生成され、
前記切断面設定手段によって前記第１の方向と異なる第２の方向の切断面が設定され、前記縦切り画像構成手段によって前記第２の切断面に応じた第２の縦切り画像が構成され、前記展開画像生成手段によって前記第２の縦切り画像を展開して第２の展開画像が生成され、
前記展開画像生成手段によって生成された第１の展開画像と第２の展開画像とが表示されることを含む、ことを特徴する画像表示装置。
【請求項８】
請求項１に記載の画像表示装置において、前記画像表示手段は、前記展開画像生成手段によって生成された展開画像に、前記視点設定手段によって設定された複数の視点又は、それら複数の視点からの視野が重畳表示されることを含む、ことを特徴とする画像表示装置。
【請求項９】
請求項１に記載の画像表示装置において、前記複数の断層像を積み上げて構成される積み上げ画像について平行投影法により擬似的三次元画像を構成する三次元画像構成手段をさらに備え、
前記画像表示手段は、前記展開画像生成手段によって生成された展開画像と前記三次元画像構成手段によって構成された擬似的三次元画像とが表示されることを含む、ことを特徴とする画像表示装置。
【請求項１０】
請求項７に記載の画像表示装置において、前記画像表示手段は、前記展開画像生成手段によって生成された第１の展開画像と第２の展開画像とが連続して表示されることを含む、ことを特徴とする画像表示装置。
【手続補正２】
【補正対象書類名】明細書
【補正対象項目名】０００６
【補正方法】変更
【補正の内容】
【０００６】
【課題を解決する為の手段】前記目的を達成するために、本発明は、複数の断層像に含まれる管腔臓器の内部に、複数の視点を設定する視点設定手段と、この視点設定手段によって設定された複数の視点を通る任意の方向の切断面を設定する切断面設定手段と、この切断面設定手段によって設定された切断面により切断して前記管腔臓器の前記視点方向に延びる縦切り画像を構成する縦切り画像構成手段と、この縦切り画像構成手段によって構成された縦切り画像を所望の方向に２次元的に展開して展開画像を生成する展開画像生成手段と、この展開画像生成手段によって生成された展開画像を表示する画像表示手段と、を備える。
【手続補正３】
【補正対象書類名】明細書
【補正対象項目名】０００８
【補正方法】変更
【補正の内容】
【０００８】
更に前記展開画像生成手段は、前記切断面設定手段によって設定された切断面に直交する方向に前記展開された展開画像が生成されることを含んでもよい。
【手続補正４】
【補正対象書類名】明細書
【補正対象項目名】０００９
【補正方法】変更
【補正の内容】
【０００９】
また、前記展開画像生成手段は、前記複数の断層像の積み上げ方向と所定の角度を成す方向に前記展開された展開画像が生成されることを含んでもよい。
更に、前記展開画像生成手段は、前記切断面設定手段によって設定される切断面を互いに直交するように設け、それぞれ直交する切断面について前記縦切り画像構成手段によってそれぞれ縦切り画像が構成され、それぞれ構成された縦切り画像を展開してそれぞれ展開画像が生成されることを含んでもよい。
【手続補正５】
【補正対象書類名】明細書
【補正対象項目名】００１０
【補正方法】変更
【補正の内容】
【００１０】
また、前記展開画像生成手段は、前記視点設定手段によって設定された視点を通る軌跡が仮想の点光源とされ、その仮想の点光源によって前記展開画像が陰影づけ処理されることを含んでもよい。即ち、複数の視点を通る曲線を仮想の点光源として設定し、画像構成手段は、前記設定された点光源から原画像を該点光源を中心とする円筒状の投影面に陰影付けて投影し、この陰影付けした円筒状の投影面を展開して擬似的に三次元画像を構成するようにしている。従って、この三次元画像は、血管などの観察対象を切り開いた画像となる。
【手続補正６】
【補正対象書類名】明細書
【補正対象項目名】００１１
【補正方法】変更
【補正の内容】
【００１１】
また、前記画像表示手段は、前記切断面設定手段によって異なる複数の方向の切断面が設定され、前記縦切り画像構成手段によって複数の方向の切断面に応じて前記管腔臓器の縦切り画像が順次構成され、前記展開画像生成手段によって前記順次構成された縦切り画像を展開して展開画像が順次生成され、それら順次生成された展開画像が順次表示されることを含んでもよい。例えば切断方向が０度〜３６０度の範囲内で等角度ずつ変化する複数の曲面を設定し、これらの曲面によってそれぞれ切断された原画像の断面像を切り替えて表示することにより、血管等の観察対象の内部を０度〜３６０度にわたって動画として見渡すことができる。
【手続補正７】
【補正対象書類名】明細書
【補正対象項目名】００１２
【補正方法】変更
【補正の内容】
【００１２】
また、前記画像表示手段は、前記切断面設定手段によって第１の方向の切断面が設定され、前記縦切り画像構成手段によって前記第１の切断面に応じた第１の縦切り画像が構成され、前記展開画像生成手段によって前記第１の縦切り画像を展開して第１の展開画像が生成され、前記切断面設定手段によって前記第１の方向と異なる第２の方向の切断面が設定され、前記縦切り画像構成手段によって前記第２の切断面に応じた第２の縦切り画像が構成され、前記展開画像生成手段によって前記第２の縦切り画像を展開して第２の展開画像が生成され、前記展開画像生成手段によって生成された第１の展開画像と第２の展開画像とが表示されることを含んでもよい。
【手続補正８】
【補正対象書類名】明細書
【補正対象項目名】００１３
【補正方法】変更
【補正の内容】
【００１３】
また、前記画像表示手段は、前記展開画像生成手段によって生成された展開画像に、前記視点設定手段によって設定された複数の視点又は、それら複数の視点からの視野が重畳表示されることを含んでもよい。
【手続補正９】
【補正対象書類名】明細書
【補正対象項目名】００１４
【補正方法】変更
【補正の内容】
【００１４】
また、前記複数の断層像を積み上げて構成される積み上げ画像について平行投影法により擬似的三次元画像を構成する三次元画像構成手段をさらに備え、前記画像表示手段は、前記展開画像生成手段によって生成された展開画像と前記三次元画像構成手段によって構成された擬似的三次元画像とが表示されることを含んでもよい。
また、請求項７に記載の画像表示装置において、前記画像表示手段は、前記展開画像生成手段によって生成された第１の展開画像と第２の展開画像とが連続して表示されることを含んでもよい。